(57)【特許請求の範囲】
【請求項１】
外部装置からページ記述言語にて記述されたＰＤＬデータを受信する受信手段と、
前記受信手段が受信したＰＤＬデータを展開処理してプリントデータを生成する展開手段であって、前記展開処理を実行するためのＣＰＵを有する展開手段と、
前記受信手段が受信したＰＤＬデータに基づいて、前記ＣＰＵを動作させるクロックの周波数を設定する設定手段と、
前記展開手段が生成したプリントデータに基づいてプリント処理を実行するプリント手段と、
前記設定手段が設定する周波数に基づいて、前記展開処理と他の動作を同時に行なうか否かを制御する制御手段と、
を有することを特徴とするプリント装置。
【請求項２】
前記設定手段による前記周波数の設定は、ＰＬＬを用いてシステムクロックに対する逓倍数を変えることにより行われることを特徴とする請求項１に記載のプリント装置。
【請求項３】
前記制御手段は、前記展開処理と前記他の動作を同時に行なわない場合に、前記プリント装置のユーザが操作可能な操作部上で前記他の動作の実行を指示できないように制御することを特徴とする請求項１又は２に記載のプリント装置。
【請求項４】
前記設定手段は、前記受信手段が受信したＰＤＬデータのデータ量に基づいて前記周波数を設定することを特徴とする請求項１ないし３のいずれか１項に記載のプリント装置。
【請求項５】
前記受信手段が受信したＰＤＬデータの種別を認識する認識手段を有し、
前記設定手段は、前記認識手段の認識結果に基づいて前記周波数を設定することを特徴とする請求項１ないし４のいずれか１項に記載のプリント装置。
【請求項６】
原稿画像を読み取ってプリントデータを入力する入力手段を有し、
前記他の動作は、前記入力手段が前記プリントデータを入力する動作であることを特徴とする請求項１ないし５のいずれか１項に記載のプリント装置。
【請求項７】
プリント装置におけるプリント方法であって、
外部装置からページ記述言語にて記述されたＰＤＬデータを受信する受信ステップと、
前記受信ステップが受信したＰＤＬデータを展開処理してプリントデータを生成する展開ステップであって、前記展開処理をＣＰＵにより実行する展開ステップと、
前記受信ステップが受信したＰＤＬデータに基づいて、前記ＣＰＵを動作させるクロックの周波数を設定する設定ステップと、
前記展開ステップが生成したプリントデータに基づいてプリント処理を実行するプリントステップと、
前記設定ステップが設定する周波数に基づいて、前記展開処理と他の動作を同時に行なうか否かを制御する制御ステップと、
を有することを特徴とするプリント方法。
【請求項８】
前記設定ステップによる前記周波数の設定は、ＰＬＬを用いてシステムクロックに対する逓倍数を変えることにより行われることを特徴とする請求項７に記載のプリント方法。
【請求項９】
前記制御ステップは、前記展開処理と前記他の動作を同時に行なわない場合に、前記プリント装置のユーザが操作可能な操作部上で前記他の動作の実行を指示できないように制御することを特徴とする請求項７又は８に記載のプリント方法。
【請求項１０】
前記受信ステップが受信したＰＤＬデータのデータ量に基づいて前記周波数を設定することを特徴とする請求項７ないし９のいずれか１項に記載のプリント方法。
【請求項１１】
前記受信ステップが受信したＰＤＬデータの種別を認識する認識ステップを有し、
前記設定ステップは、前記認識ステップの認識結果に基づいて前記周波数を設定することを特徴とする請求項７ないし１０のいずれか１項に記載のプリント方法。
【請求項１２】
原稿画像を読み取ってプリントデータを入力する入力ステップを有し、
前記他の動作は、前記入力ステップが前記プリントデータを入力する動作であることを特徴とする請求項７ないし１１のいずれか１項に記載のプリント方法。
【発明の詳細な説明】
【０００１】
【発明の属する技術分野】
本発明は、特にＰＤＬ（ページ記述言語）プリント及び複数ジョブ（ジョブ）の同時動作が可能なネットワーク機器、デジタル複写機等からなるプリント装置およびプリント方法に関する。
【０００２】
【従来の技術】
従来から、ＰＤＬプリント及び複数ジョブの同時動作が可能な複合機やネットワーク対応機器等は既に製品化されている。また、ＣＰＵ（中央演算処理装置）の高速化に伴って製品コストあるいは開発費削減ため、ＰＤＬの展開作業はハードウエアによる専用回路ではなく、ソフトウエアにより実現される様な動きも見られる。
【０００３】
近年では、ＰＤＬプリントを行なうアプリケーションも多様化され、アプリケーションの種類によってはＣＰＵの処理の負担も重いため、スペックの向上のために、ＣＰＵを高速化なものに置き換える例が増えてきている。
【０００４】
【発明が解決しようとする課題】
しかし、スペックの向上のためにＣＰＵを高速化する一方でシステムの省エネルキー化が規格の取得等の理由で必要とされている。省エネルギー化はＣＰＵのスペック向上と相反する条件なためこれを実現することは困難である。
【０００５】
本発明は、上述の点に鑑みてなされたもので、その目的は、基準内の消費電力でＰＤＬパフォーマンス（ＣＰＵのコア周波数）と他のジョブとの同時動作のいずれに重点を置くかを自動的に制御することができるプリント装置およびプリント方法を提供することにある。
【０００６】
【課題を解決するための手段】
上記目的を達成するため、請求項１のプリント装置の発明は、外部装置からページ記述言語にて記述されたＰＤＬデータを受信する受信手段と、 前記受信手段が受信したＰＤＬデータを展開処理してプリントデータを生成する展開手段であって、前記展開処理を実行するためのＣＰＵを有する展開手段と、 前記受信手段が受信したＰＤＬデータに基づいて、前記ＣＰＵを動作させるクロックの周波数を設定する設定手段と、 前記展開手段が生成したプリントデータに基づいてプリント処理を実行するプリント手段と、前記設定手段が設定する周波数に基づいて、前記展開処理と他の動作を同時に行なうか否かを制御する制御手段と、 を有することを特徴とする。
【０００７】
ここで、好ましくは、前記設定手段による前記周波数の設定は、ＰＬＬを用いてシステムクロックに対する逓倍数を変えることにより行われる。
【００１２】
また、好ましくは、前記制御手段は、前記展開処理と前記他の動作を同時に行なわない場合に、前記プリント装置のユーザが操作可能な操作部上で前記他の動作の実行を指示できないように制御する。
【００１３】
また、好ましくは、前記設定手段は、前記受信手段が受信したＰＤＬデータのデータ量に基づいて前記周波数を設定する。
【００１４】
また、好ましくは、前記受信手段が受信したＰＤＬデータの種別を認識する認識手段を有し、前記設定手段は、前記認識手段の認識結果に基づいて前記周波数を設定する。
【００１５】
また、好ましくは、原稿画像を読み取ってプリントデータを入力する入力手段を有し、前記他の動作は、前記入力手段が前記プリントデータを入力する動作である。
【００１６】
上記目的を達成するため、請求項７の発明は、プリント装置におけるプリント方法であって、 外部装置からページ記述言語にて記述されたＰＤＬデータを受信する受信ステップと、 前記受信ステップが受信したＰＤＬデータを展開処理してプリントデータを生成する展開ステップであって、前記展開処理をＣＰＵにより実行する展開ステップと、 前記受信ステップが受信したＰＤＬデータに基づいて、前記ＣＰＵを動作させるクロックの周波数を設定する設定ステップと、 前記展開ステップが生成したプリントデータに基づいてプリント処理を実行するプリントステップと、前記設定ステップが設定する周波数に基づいて、前記展開処理と他の動作を同時に行なうか否かを制御する制御ステップと、を有することを特徴とする。
【００１７】
ここで、好ましくは、前記設定ステップによる前記周波数の設定は、ＰＬＬを用いてシステムクロックに対する逓倍数を変えることにより行われる。
【００２２】
また、好ましくは、前記制御ステップは、前記展開処理と前記他の動作を同時に行なわない場合に、前記プリント装置のユーザが操作可能な操作部上で前記他の動作の実行を指示できないように制御する。
【００２３】
また、好ましくは、前記受信ステップが受信したＰＤＬデータのデータ量に基づいて前記周波数を設定する。
【００２４】
また、好ましくは、前記受信ステップが受信したＰＤＬデータの種別を認識する認識ステップを有し、前記設定ステップは、前記認識ステップの認識結果に基づいて前記周波数を設定する。
【００２５】
また、好ましくは、原稿画像を読み取ってプリントデータを入力する入力ステップを有し、前記他の動作は、前記入力ステップが前記プリントデータを入力する動作である。
【００２６】
【発明の実施の形態】
以下に、図面を参照して本発明の実施形態の装置及びその動作について詳細に説明する。
（ハードウェア）
［全体構成］
本発明の一実施形態の制御装置の全体構成を図３に示す。制御装置２０００は、画像入力デバイスであるスキャナ２０７０や画像出力デバイスであるプリンタ２０９５と接続し、一方ではＬＡＮ（ラン：ローカルエリアネットワーク）２０１１や公衆回線（ＷＡＮ：広域ネットワーク）２０５１と接続することで、画像情報やデバイス情報の入出力を行う為のコントローラである。ＣＰＵ（中央演算処理装置）２００１はシステム全体を制御するコントローラである。ＲＡＭ（ランダムアクセスメモリ）２００２はＣＰＵ２００１が動作するためのシステムワークメモリであり、画像データを一時記憶するための画像メモリでもある。ＲＯＭ（リードオンリメモリ）２００３はブートＲＯＭであり、システムのブートプログラムが格納されている。ＨＤＤ（ハードディスクドライブ）２００４はシステムソフトウェア、画像データを格納する。操作部Ｉ／Ｆ（インターフェース）２００６は操作部（ＵＩ：ユーザインターフェース）２０１２とのインターフェース部で、操作部２０１２に表示する画像データを操作部２０１２に対して出力する。また、操作部Ｉ／Ｆ２００６は、操作部２０１２から本発明を適用したネットワークシステム使用者が入力した情報を、ＣＰＵ２００１に伝える役割をする。ネットワークＩ／Ｆ２０１０はＬＡＮ２０１１に接続して、情報の入出力を行う。モデム２０５０は公衆回線２０５１に接続して、情報の入出力を行う。以上のデバイスがシステムバス２００７上に配置される。
【００２７】
ＣＰＵ２００１はシステムバス２００７との間で画像データを高速で転送する画像バス２００８を接続し、データ構造を変換するバスブリッジを内蔵している。画像バス２００８は、ＰＣＩ（Peripheral Component Interconnect）バスまたは高速バス規格のＩＥＥＥ１３９４で構成される。画像バス２００８上には以下のデバイスが配置される。ラスターイメージプロセッサ（ＲＩＰ）２０６０はＰＤＬ（ページ記述言語）コードをビットマップイメージに展開する。デバイスＩ／Ｆ部２０２０は、画像入出力デバイスであるスキャナ２０７０やプリンタ２０９５と制御装置２０００とを接続し、画像データの同期系／非同期系の変換を行う。スキャナ画像処理部２０８０は、入力画像データに対して補正、加工、編集を行う。プリンタ画像処理部２０９０は、プリント出力画像データに対して、プリンタの補正、解像度変換等を行う。画像回転処理部２０３０は画像データの回転を行う。画像圧縮処理部２０４０は、多値画像データはＪＰＥＧ（Joint Photographic Experts Group）の圧縮伸張処理、２値画像画像データはＪＢＩＧ（Joint Bi-level Image Experts Group）、あるいはＭＭＲ（modified modified READ）、あるいはＭＨ（Modified Huffman）の圧縮伸張処理を行う。
【００２８】
［画像入出力部］
本実施形態の画像入出力デバイスの外観を図４に示す。画像入力デバイスであるスキャナ部２０７０は、原稿となる紙上の画像を照明し、ＣＣＤ（電荷結合素子）ラインセンサ（図示せず）を走査することで、ラスターイメージデータとして電気信号に変換する。原稿用紙は原稿フィーダ２０７２のトレイ２０７３にセットされ、装置使用者が図３の操作部２０１２から読み取り起動指示することにより、図３のコントローラＣＰＵ２００１がスキャナ２０７０に指示を与え、フィーダ２０７２は原稿用紙を１枚ずつフィード（給送）して原稿画像の読み取り動作を行う。
【００２９】
画像出力デバイスであるプリンタ２０９５は、ラスターイメージデータを用紙上の画像に変換する部分であり、そのプリント方式は感光体ドラムや感光体ベルトを用いた電子写真方式、微少ノズルアレイからインクを吐出して用紙上に直接画像を印字するインクジェット方式等があるが、どのプリント方式でも構わない。プリント動作の起動は、コントローラＣＰＵ２００１からの指示によって開始する。プリンタ２０９５は、異なる用紙サイズまたは異なる用紙向きを選択できるように複数の給紙段を持ち、それに対応した用紙カセット２１０１、２１０２、２１０３、２１０４がある。また、排紙トレイ２１１１は印字し終わった用紙を受けるものである。
【００３０】
［操作部］
図５に操作部２０１２の外観を示す。同図に示すように、操作部２０１２のＬＣＤ（液晶素子）表示部２０１３には、液晶画面上にタッチ入力用のタッチパネルシートが貼られており、これによりシステムの操作画面を表示するとともに、それに表示してあるキー（ソフトキー）が押されると、その位置情報をコントローラＣＰＵ２００１に伝える。スタートキー２０１４は原稿画像の読み取り動作を開始する時などに用いる。スタートキー２０１４の中央部には、緑と赤の２色ＬＥＤ（発光ダイオード）２０１８があり、その発光色によって、スタートキー２０１４が使える状態にあるか否かを示す。例えば、緑色の発光の時にスタートキー２０１４が使えるように設定されている。ストップキー２０１５は稼働中の動作を止める働きをする。ＩＤ（識別子、識別番号）キー２０１６は、使用者のユーザーＩＤを入力する時に用いる。リセットキー２０１７は操作部からの設定を初期化する時に用いる。
【００３１】
［スキャナ画像処理部］
スキャナ画像処理部２０８０の詳細構成を図６に示す。フィルタ処理部２０８２は、空間フィルタによりコンボリューション演算（畳み込み演算）を行う。編集部２０８３は、例えば入力画像データからマーカーペンで囲まれた閉領域を認識して、その閉領域内の画像データに対して、影つけ、網掛け、ネガポジ反転等の画像加工処理を行う。変倍処理部２０８４は、読み取り画像の解像度を変える場合にラスターイメージの主走査方向について補間演算を行い拡大、縮小を行う。副走査方向の変倍については、画像読み取りラインセンサ（図示せず）を走査する速度を変えることで行う。テーブル２０８５は、読み取った輝度データである画像データを濃度データに変換するためのテーブル変換を行うルックアップテーブルである。２値化部２０８６は、多値のグレースケール画像データを、誤差拡散処理やスクリーン処理によって２値化する。
【００３２】
［プリンタ画像処理部］
プリンタ画像処理部２０９０の詳細構成を図７に示す。解像度変換部２０９２は、ＬＡＮ２０１１あるいは公衆回線２０５１から伝送された画像データを、プリンタ２０９５の解像度に変換するための解像度変換を行う。スムージング処理部２０９３は、解像度変換後の画像データのジャギー（斜め線等の白黒境界部に現れる画像のがさつき）を滑らかにする処理を行う。
【００３３】
［画像圧縮処理部］
画像圧縮処理部２０４０の詳細構成を図８に示す。入力バッファ２０４２は受け取った画像データを一時格納し、画像データ要求に応じて一定のスピードで画像を転送する。ＲＡＭ２０４４は画像圧縮部２０４３が受け取った画像データを一旦格納する。出力バッファ２０４５は画像圧縮部２０４３で画像圧縮を施された画像データを一次格納してから画像バスＩ／Ｆコントローラ２０４１に転送する。
【００３４】
次に、画像圧縮処理部２０４０の詳細な動作を説明する。画像バス２００８を介して、ＣＰＵ２００１から画像バスＩ／Ｆコントローラ２０４１に画像圧縮制御のための設定を行う。この設定により画像バスＩ／Ｆコントローラ２０４１は画像圧縮部２０４３に対して画像圧縮に必要な設定（たとえばＭＭＲ圧縮・ＪＢＩＧ伸長等の設定）を行う。画像圧縮に必要な設定を行った後に、再度ＣＰＵ２００１から画像バスＩ／Ｆコントローラ２０４１に対して画像データ転送の許可を行う。この許可に従い、画像バスＩ／Ｆコントローラ２０４１はＲＡＭ２００２もしくは画像バス２００８上の各デバイスから画像切換え部２０６２を介して画像データの転送を開始する。受け取った画像データは入力バッファ２０４２に一時格納され、画像圧縮部２０４３の画像データ要求に応じて一定のスピードで画像を転送する。この際、入力バッファ２０４２は画像バスＩ／Ｆコントローラ２０４１と、画像圧縮部２０４３の両者の間で、画像データを転送できるか否かを判断し、画像バス２００８からの画像データの読み込み及び、画像圧縮部２０４３への画像の書き込みが不可能である場合には、データの転送を行わないような制御を行う（以後このような制御をハンドシェークと称する）。
【００３５】
画像圧縮部２０４３は受け取った画像データを、一旦ＲＡＭ２０４４に格納する。これは画像圧縮を行う際には、実行する画像圧縮処理の種類によって、数ライン分のデータを要するためであり、最初の１ライン分の圧縮を行うためには数ライン分の画像データを用意してからでないと、画像圧縮が行えないためである。画像圧縮を施された画像データは直ちに出力バッファ２０４５に送られる。出力バッファ２０４５では、画像切換え部２０６２及び画像圧縮部２０４３とのハンドシェークを行い、画像切換え部２０６２を介して画像データを画像バスＩ／Ｆコントローラ２０２１に転送する。画像バスＩ／Ｆコントローラ２０４１では転送された圧縮（もしくは伸長）された画像データをＲＡＭ２００２もしくは画像バス２００８上の各デバイスにデータを転送する。
【００３６】
こうした一連の処理は、ＣＰＵ２００１からの処理要求が無くなるまで（必要なページ数の処理が終わったとき）、もしくはこの画像圧縮部２０４３から停止要求が出るまで（圧縮及び伸長時のエラー発生時等）、繰り返される。
【００３７】
［画像回転処理部］
画像回転処理部２０３０の詳細構成を図９に示す。画像バスＩ／Ｆコントローラ２０３１は、画像バス２００８と接続して、そのバスシーケンスの制御と、画像回転部２０３２にモード等を設定する制御と、画像回転部２０３２に画像データを転送するためのタイミング制御とを行う。以下に画像回転処理部２０３０の処理手順を説明する。
【００３８】
画像バス２００８を介して、ＣＰＵ２００１から画像バスＩ／Ｆコントローラ２０３１に画像回転制御のための設定を行う。この設定により画像バスＩ／Ｆコントローラ２０３１は画像回転部２０３２に対して画像回転に必要な設定（例えば、画像サイズや回転方向・角度等の設定）を行う。画像回転に必要な設定を行った後に、再度ＣＰＵ２００１から画像バスＩ／Ｆコントローラ２０４１に対して画像データ転送の許可を行う。この許可に従い、画像バスＩ／Ｆコントローラ２０３１はＲＡＭ２００２もしくは画像バス２００８上の各デバイスから画像データの転送を開始する。尚、ここでは、３２ｂｉｔをその画像データのサイズとして回転を行う画像サイズを３２×３２（ｂｉｔ）とし、又、画像バス２００８上に画像データを転送させる際に３２ｂｉｔを単位とする画像転送を行うものとする（扱う画像は２値を想定する）。
【００３９】
上記のように、３２×３２（ｂｉｔ）の画像を得るためには、上述の単位データ転送を３２回行う必要があり、且つ不連続なアドレスから画像データを転送する必要がある（図１０を参照）。
【００４０】
不連続アドレッシングにより転送された画像データは、読み出し時に所望の角度に回転されているように、ＲＡＭ２０３３に書き込まれる。例えば、９０度反時計方向回転であれば、最初に転送された３２ｂｉｔの画像データを、図１１に示すように、Ｙ方向に書き込んでいく。読み出し時にＸ方向に読み出すことで、画像が回転される。
【００４１】
３２×３２（ｂｉｔ）の画像回転（ＲＡＭ２０３３への書き込み）が完了した後、画像回転部２０３２はＲＡＭ２０３３から上記の読み出し方法で画像データを読み出し、画像バスＩ／Ｆコントローラ２０３１に画像を転送する。回転処理された画像データを受け取った画像バスＩ／Ｆコントローラ２０３１は、連続アドレッシングを以て、ＲＡＭ２００２もしくは画像バス２００８上の各デバイスにデータを転送する。
【００４２】
こうした一連の処理は、ＣＰＵ２００１からの処理要求が無くなるまで（必要なページ数の処理が終わったとき）、繰り返される。
【００４３】
［デバイスＩ／Ｆ部］
デバイスＩ／Ｆ部２０２０の詳細構成を図１２に示す。画像バスＩ／Ｆコントローラ２０２１は、画像バス２００８と接続し、そのバスアクセスシーケンスを制御する働きと、デバイスＩ／Ｆ部２０２０内の各デバイスの制御及びタイミングを発生させる。また、画像バスＩ／Ｆコントローラ２０２１は、画像切換え部２０６２への制御信号を発生させる。
【００４４】
スキャンバッファ２０２２は、画像切換え部２０６２から送られてくる画像データを一時保存し、画像バス２００８に同期させて画像データを出力する。シリアルパラレル・パラレルシリアル変換部２０２３は、スキャンバッファ２０２２に保存された画像データを順番に並べて、あるいは分解して、画像バス２００８に転送できる画像データのデータ幅に変換する。
【００４５】
パラレルシリアル・シリアルパラレル変換部２０２４は、画像バス２００８から転送された画像データを分解して、あるいは順番に並べて、プリントバッファ２０２５に保存できる画像データのデータ幅に変換する。プリントバッファ２０２５は、画像バス２００８から送られてくる画像データを一時保存し、画像切換え部２０６２からの転送要求に応じてプリンタ２０９５に画像データを出力する。
【００４６】
次に、画像スキャン時の処理手順を説明する。スキャナ２０７０から送られてくる画像データをスキャナ２０７０から送られてくるタイミング信号に同期させて、画像切換え部２０６２に送る。画像切換え部２０６２ではスキャナ２０７０から受け取った画像をＣＰＵ２００１からの設定に応じて選択された転送先へ画像を送る。通常はスキャナ２０７０から受け取った画像はスキャナ画像処理部２０８０へ送られ、所定の画像処理を行った後、画像切換え部２０６２を介してスキャンバッファ２０２２に保存される。そして、画像バス２００８がＰＣＩバスの場合には、バッファ内に画像データが３２ビット以上入ったときに、画像データを先入れ先出しで３２ビット分、バッファからシリアルパラレル・パラレルシリアル変換部２０２３に送り、３２ビットの画像データに変換し、画像バスＩ／Ｆコントローラ２０２１を通して画像バス２００８上に転送する。また、画像バス２００８がＩＥＥＥ１３９４の場合には、バッファ内の画像データを先入れ先出しで、バッファからシリアルパラレル・パラレルシリアル変換部２０２３に送り、シリアル画像データに変換し、画像バスＩ／Ｆコントローラ２０２１を通して画像バス２００８上に転送する。
【００４７】
次に、画像プリント時の処理手順を説明する。画像バス２００８がＰＣＩバスの場合には、画像バスから送られてくる３２ビットの画像データを、画像バスＩ／Ｆコントローラ２０２１で受け取り、パラレルシリアル・シリアルパラレル変換２０２４に送り、ここでプリンタ２０９５の入力データビット数の画像データに分解し、それをプリントバッファ２０２５に保存する。また、画像バス２００８がＩＥＥＥ１３９４の場合には、画像バスからおくられてくるシリアル画像データを画像バスＩ／Ｆコントローラ２０２１で受け取り、パラレルシリアル・シリアルパラレル変換２０２４に送り、ここでプリンタ２０９５の入力データビット数の画像データに変換し、それをプリントバッファ２０２５に保存する。画像データはプリントバッファ２０２５から画像切換え部２０６２を介してプリンタ画像処理部２０９０に送られる。そして、プリンタ画像処理部２０９０所定の画像処理を行った後、再び画像切換え部２０６２を介して、プリンタ２０９５から送られてくるタイミング信号に同期させて、プリントバッファ２０２５内の画像データを先入れ先出しで、プリンタ２０９５に送る。
【００４８】
（ソフトウェア）
［システム全体］
本発明の一実施形態におけるネットワークシステムの全体構成を図１に示す。同図において、１００１は複合機または多機能複写装置などと呼ばれる本発明を適用した装置であって、前述のスキャナとプリンタとを含み、スキャナから読み込んだ画像をローカルエリアネットワーク（以下、ＬＡＮと称する）１０１０に流したり、ＬＡＮから受信した画像をプリンタによりプリントアウトできる。また、本発明の装置１００１はスキャナから読んだ画像をＦＡＸ送信手段（図示しない）により、ＰＳＴＮ（公衆電話網）またはＩＳＤＮ（統合サービスデジタル網）１０３０に送信したり、ＰＳＴＮまたはＩＳＤＮから受信した画像をプリンタによりプリントアウトできる。
【００４９】
１００２はデータベースサーバであって、本発明の装置１００１により読み込んだ２値画像及び多値画像をデータベースとして管理する。１００３はデータベースサーバ１００２のデータベースクライアントであって、データベース１００２に保存されている画像データを閲覧／検索等できる。１００４は電子メールサーバであって、本発明の装置１００１により読み取った画像を電子メールの添付として受け取ることができる。１００５は電子メールのクライアントであって、電子メールサーバ１００４が受け取ったメールを受信して閲覧したり、電子メールを送信したりすることができる。１００６はＨＴＭＬ（Hypertext Markup Language）文書をＬＡＮに提供するＷＷＷ（Word Wide Web）サーバであって、本発明の装置１００１によりＷＷＷサーバで提供されるＨＴＭＬ文書をプリントアウトすることができる。１００７はルータ１０１１を介して、ＬＡＮ１０１０をインターネット／イントラネット１０１２と連結するためのサーバである。
【００５０】
上述の本発明の装置１００１、データベースサーバ１００２、ＷＷＷサーバ１００６、および電子メールサーバ１００４と同様の装置である、１０２０、１０２１、１０２２、１０２３が、それぞれインターネット／イントラネット１０１２に連結している。一方、本発明の装置１００１は、ＰＳＴＮまたはＩＳＤＮ１０３０を介して、ＦＡＸ（ファクシミリ）装置１０３１と送受信可能になっている。また、ＬＡＮ１０１０上にプリンタ１０４０も連結されており、本発明の装置１００１により読み取った画像を外部のプリンタ１０４０でプリントアウト可能なように構成されている。
【００５１】
［ソフトウェアブロック全体構成］
図２は本発明を実施した複合機（図１の１００１あるいは１０２０）のソフトウエアの構成を示す。同図において、１５０１はＵＩ（ユーザインターフェイス）を司るものであり、オペレータが本複合機の各種操作・設定を行う際、機器との仲介を行うモジュールである。本ＵＩモジュール１５０１は、オペレータの操作に従い、後述の各種モジュールに入力情報を転送し処理の依頼、或いはデータの設定等を行う。
【００５２】
１５０２はアドレスブック即ち、データの送付先、通信先等を管理するデータベースモジュールである。アドレスブックの内容は、ＵＩモジュール１５０１からの操作によりデータの追加、削除、取得が行われ、オペレータの操作により後述の各モジュールにデータの送付・通信先情報を与えるものとして使用される。
【００５３】
１５０３はウェッブサーバモジュール（ウエッブサーバデバイスマネージャアカンティング）であり、図外のウェッブクライアントからの要求により、本複合機の管理情報を通知するために使用される。この管理情報は、後述のコントロール−ＡＰＩ（Application Program Interface）１５１８を介して読み取られ、後述のＨＴＴＰ（Hypertext Transport Protocol）１５１２、ＴＣＰ／ＩＰ（Transmission Control Protocol / Internet Protocol ）１５１６、ネットワーク−ドライバ１５１７を介してウェッブクライアントに通知される。
【００５４】
１５０４はユニバーサル・センド（Universal-Send）即ち、データの配信を司るモジュールであり、ＵＩモジュール１５０１によりオペレータに指示されたデータを、同様に指示された通信（出力）先に配布する。また、このモジュール１５０４は、オペレータにより、本複合機のスキャナ機能を使用してその配布データの生成を行うことが指示された場合には、後述のコントロール−ＡＰＩ１５１８を介して機器を動作させて、データの生成を行う。１５０５はユニバーサル・センド１５０４内で出力先にプリンタが指定された際に実行されるモジュール（Ｐ５５０モジュール）である。１５０６はユニバーサル・センド１５０４内で通信先にＥメール（E-mail）アドレスが指定された際に実行されるモジュール（Ｅメールモジュール）である。１５０７はユニバーサル・センド１５０４内で出力先にデータベースが指定された際に実行されるモジュール（ＤＢモジュール）である。１５０８はユニバーサル・センド１５０４内で出力先に本複合機と同様の複合機が指定された際に実行されるモジュール（ＤＰ(Data Processing)モジュール）である。
【００５５】
１５０９はリモートコピースキャン（Remote- Copy -Scan）モジュールであり、本複合機のスキャナ機能を使用し、ネットワーク等により接続された他の複合機を出力先とし、本複合機単体で実現しているコピー機能と同等のスキャン処理を行うモジュールである。１５１０はリモートコピープリント（Remote- Copy -Print）モジュールであり、本複合機のプリンタ機能を使用して、ネットワーク等により接続された他の複合機を入力先とし、本複合機単体で実現しているコピー機能と同等のプリント処理を行うモジュールである。
【００５６】
１５１１はウェッブプルプリント（Web-Pull-Print）、即ちインターネットまたはイントラネット（図１の１０１２）上の各種ホームページの情報を読み出し、印刷するモジュールである。
【００５７】
１５１２は本複合機がＨＴＴＰにより通信する際に使用されるモジュール（ＨＴＴＰモジュール）であり、後述のＴＣＰ／ＩＰ１５１６モジュールにより、上述のウェッブサーバモジュール１５０３、ウェッブプルプリントモジュール１５１１に通信を提供するものである。１５１３はｌｐｒ（Line  Printer：プリントコマンド）モジュールであり、後述のＴＣＰ／ＩＰ１５１６モジュールにより、上述のユニバーサル・センド１５０４内のプリンタモジュール１５０５に通信を提供するものである。１５１４はＳＭＴＰ（Simple Mail Transfer Protocol）モジュールであり、後述のＴＣＰ／ＩＰ１５１６モジュールにより、上述のユニバーサル・センド１５０４内のＥメールモジュール１５０６に通信を提供するものである。１５１５はＳＬＭ（Salutation-Manager：サリューションマネージャ）モジュールであり、後述のＴＣＰ／ＩＰ１５１６モジュールにより、上述のユニバーサル・センド１５０４内のデータベースモジュール１５１７、ＤＰ（Data Processing）モジュール１５１８、及びリモートコピースキャンモジュール１５０９、リモートコピープリントモジュール１５１０に通信を提供するものである。
【００５８】
１５１６はＴＣＰ／ＩＰ通信モジュールであり、後述のネットワーク−ドライバ１５１７により、上述の各種モジュールにネットワーク通信を提供するものである。１５１７はネットワークドライバであり、ネットワーク（図１の１０１０、１０１２、１０３０）に物理的に接続される部分を制御するものである。
【００５９】
１５１８はコントロール−ＡＰＩであって、ユニバーサル・センド１５０４等の上流モジュールに対し、後述のジョブマネージャ（Job-Manager）１５１９等の下流モジュールとのインターフェイスを提供するものであり、上流及び下流のモジュール間の依存関係を軽減し、それぞれの流用性を高めるものである。
【００６０】
１５１９はジョブマネージャであり、上述の各種モジュールからコントロールＡＰＩ１５１８を介して指示される処理を解釈し、後述の各モジュールに指示を与えるものである。また、本モジュール１５１９は、本複合機内で実行されるハード的な処理を一元管理するものである。
【００６１】
１５２０はＣＯＤＥＣ（符号器／復号器）マネージャ（CODEC-Manager）であり、ジョブマネージャ１５１９が指示する処理の中でデータの各種圧縮・伸長を管理・制御するものである。１５２１はＦＢＥエンコーダ（FBE -Encoder）であり、ジョブマネージャ１５１９、スキャンマネージャ１５２４により実行されるスキャン処理により読み込まれたデータをＦＢＥ（First Binary Encoding）フォーマットにより圧縮するものである。１５２２はＪＰＥＧ−ＣＯＤＥＣであり、ジョブマネージャ１５１９、スキャンマネージャ１５２４により実行されるスキャン処理、及びプリントマネージャ１５２６により実行される印刷処理において、読み込まれたデータのＪＰＥＧ（Joint Photographic Experts Group）圧縮及び印刷データのＪＰＥＧ展開処理を行うものである。１５２３はＭＭＲ−ＣＯＤＥＣであり、ジョブマネージャ１５１９、スキャンマネージャ１５２４により実行されるスキャン処理、及びプリントマネージャ１５２６により実行される印刷処理において、読み込まれたデータのＭＭＲ（modified modified READ）圧縮及び印刷データのＭＭＲ伸長処理を行うものである。
【００６２】
１５２４はスキャンマネージャ（Scan-Manager）であり、ジョブマネージャ１５１９が指示するスキャン処理を管理・制御するものである。１５２５はＳＣＳＩ（小型コンピュータインタフェース）ドライバであり、スキャンマネージャ１５２４と本複合機が内部的に接続しているスキャナ部との通信を行うものである。
【００６３】
１５２６はプリントマネージャ（Print-Manager）であり、ジョブマネージャ１５１９が指示する印刷処理を管理・制御するものである。１５２７はエンジンＩ／Ｆドライバであり、プリントマネージャ１５２６と印刷部とのＩ／Ｆを提供するものである。
【００６４】
１５２８はパラレルポートドライバであり、ウェッブプルプリント（Web-Pull-Print）モジュール１５１１がパラレルポートを介して図外の出力機器にデータを出力する際のＩ／Ｆを提供するものである。
【００６５】
［アプリケーション］
次に、本発明の複合機に組込まれる、組み込みアプリケーションの実施形態について説明する。
【００６６】
図１３は本発明を適用した配信に関する組み込みアプリケーションの構成を表す。同図において、４０５０は本発明の操作部アプリケーション（図２の１５０１）を示すブロックである。４１００はリモートコピーアプリケーション（図２の１５０９、１５１０）の送信側を示すブロックである。４１５０は同報配信の送信側を示すブロックである。４２００はウェッブプルプリントモジュール（図２の１５１１）を示すブロックである。４２５０はウェッブサーバモジュール（図２の１５０３）を示すブロックである。
【００６７】
４３００はリモートコピーの受信側（プリント側）を示すブロックである。４３５０は同報配信で送信されてきたイメージを汎用のプリンタで受信・プリントするブロックである。４４００はリモートプリントの受信側（プリント側）を示すブロックである。
【００６８】
４４５０は同報配信で送信されてきたイメージを公知のノートサーバで受信・格納するブロックである。４５００は同報配信で送信されてきた２値のイメージを受信・格納するブロックである。４５５０は同報配信で送信されてきたイメージを公知のメールサーバで受信・格納するブロックである。４６００は同報配信で送信されてきた多値のイメージを受信・格納するブロックである。
【００６９】
４６５０は情報コンテンツを含んだ、公知のウェッブサーバである。４７００は本発明のウェッブサーバなどにアクセスする、公知のウェッブブラウザ（Web -Browser）である。
【００７０】
以下、それぞれのブロックに照らし合わせながら、アプリケーション群の説明を詳細に行う。
［ユーザインターフェース（User Interface）アプリケーション］
ブロック４０５０で示すユーザインターフェース（以下、ＵＩ）の詳細は、前述したとおりであるが、ここでは、ブロック４０５１のアドレスブック（Address Book）について説明する。このアドレスブックは、本発明の機器内の不揮発性の記憶装置（不揮発性メモリやハードディスクなど）に保存されており、この中には、ネットワークに接続された機器の特徴が記載されている。例えば、アドレスブックには、以下に列挙するようなものが含まれている。
（ａ）機器の正式名やエイリアス名
（ｂ）機器のネットワークアドレス
（ｃ）機器の処理可能なネットワークプロトコル
（ｄ）機器の処理可能なドキュメントフォーマット
（ｅ）機器の処理可能な圧縮タイプ
（ｆ）機器の処理可能なイメージ解像度
（ｇ）プリンタ機器の場合の給紙可能な紙サイズ、給紙段情報
（ｈ）サーバー（コンピュータ）機器の場合のドキュメントを格納可能なフォルダ名
【００７１】
以下に説明する各アプリケーションは、上記のアドレスブック４０５１に記載された情報により配信先の特徴を判別することが可能となる。また、このアドレスブックは、編集可能であると共に、ネットワーク内のサーバーコンピュータなどに保存されているものをダウンロードして使用するか、または、直接参照することも可能である。
【００７２】
［リモートコピーアプリケーション］
リモートコピーアプリケーションは、配信先に指定された機器の処理可能な解像度情報を上記のアドレスブック４０５１から判別し、その解像度情報に従い、スキャナにより読みとった２値画像を公知のＭＭＲ圧縮を用いて圧縮し、それを公知のＴＩＦＦ（Tagged Image File Format）化し、ＳＬＭ４１０３に通して、ネットワーク上のプリンタ機器に送信する。ＳＬＭ４１０３は公知のサリューションマネージャ（Salutation Manager）（または、Smart Link Manager：スマートリンクマネージャ）と呼ばれる機器制御情報などを含んだネットワークプロトコルの一種である。
【００７３】
［同報配信アプリケーション］
同報配信アプリケーションは、上記のリモートコピーアプリケーションと違い、一度の画像走査で複数の配信宛先に画像を送信することが可能である。また、配信先もプリンタ機器にとどまらず、いわゆるサーバーコンピュータにも直接配信可能である。以下、配信先に従って順に説明する。
【００７４】
配信先の機器が、公知のネットワークプリンタプロトコルであるＬＰＤ（Line printer Daemon）、およびプリンタ制御コマンドとして公知のＬＩＰＳを処理可能であるとアドレスブック４０５１から判別した場合には、同様にアドレスブック４０５１から判別した画像解像度に従って画像読み取りを行い、画像自体は本実施形態では、公知のＦＢＥ（First Binary Encoding）を用いて圧縮し、さらにＬＩＰＳ（LBP(Laser Beam Printer) Image Processing System）コード化して、公知のネットワークプリンタプロトコルであるｌｐｒにより相手機器に送信する。
【００７５】
配信先の機器が、上記のＳＬＭで通信可能なサーバー機器の場合には、アドレスブック４０５１から、サーバーアドレス、サーバー内のフォルダの指定を判別し、リモートコピーアプリケーションと同様に、スキャナにより読みとった２値画像を公知のＭＭＲ圧縮を用いて圧縮し、それを公知のＴＩＦＦ（Tagged Image File Format）化し、ＳＬＭを通して、ネットワーク上のサーバー機器の特定のフォルダに格納することができる。
【００７６】
また、本実施形態の機器では、相手機器であるサーバーが、公知のＪＰＥＧ圧縮された多値画像を処理可能であると判別した場合には、上記の２値画像と同様に、多値読み取りした画像を公知のＪＰＥＧ圧縮を用いて、やはり公知のＪＦＩＦ（JPEG File Interchange Format：カラー静止画方式）化し、ＳＬＭを通して、ネットワーク上のサーバー機器の特定のフォルダに格納することが可能である。
【００７７】
配信先の機器が公知のＥメールサーバーである場合には、アドレスブック４０５１に記載されたメールアドレスを判別して、スキャナにより読みとった画像の２値画像を公知のＭＭＲ圧縮を用いて圧縮し、その圧縮画像を公知のＴＩＦＦ（Tagged Image File Format）化し、公知のＳＭＴＰ（Simple Mail Transfer Protocol）４１５３を使用して、Ｅメールサーバーに送信する。その後の配信は、メールサーバ４５５０に従って実行される。
【００７８】
［ウェッブプルプリントアプリケーション］
ウェッブプルプリントアプリケーションは、本実施形態と直接関係しないので、その説明は省略する。
【００７９】
［ウェッブサーバアプリケーション］
ウェッブサーバアプリケーションは、本実施形態と直接関係しないので、その説明は省略する。
【００８０】
［デバイスインフォメーションサービス］
ウェッブコントローラ内において、ジョブに対する設定値、デバイス（スキャナ、プリンタなど）の機能、ステータス、課金情報等をコントロール  ＡＰＩに準拠したデータ形態で保持するデータベースと、そのデータベースとのＩ／Ｆをデバイスインフォメーションサービス（以下、ＤＩＳと称する）として定義している。図１４に、そのＤＩＳ７１０２、ジョブマネージャ７１０１、及びスキャンドキュメントマネージャ７１０３、プリントキュメントマネージャ７１０４との間の情報のやり取りを示す。
【００８１】
基本的に、ジョブの開始命令などの動的な情報は、ジョブマネージャ７１０１から各ドキュメントマネージャに直接指示され、デバイスの機能やジョブの内容など静的な情報はジョブマネージャ７１０１がＤＩＳ７１０２を参照する。各ドキュメントマネージャ７１０３、７１０４からの静的、動的情報、イベント（事象）はＤＩＳ７１０２を介してジョブマネージャ７１０１に伝えられる。
【００８２】
各ドキュメントマネージャ７１０３、７１０４からＤＩＳ７１０２のデータベース（図示しない）にデータの設定、取得を行う場合には、ＤＩＳ７１０２の内部のデータ形式がコントロールＡＰＩ準拠であることから、コントロールＡＰＩに準拠したデータ形式と、各ドキュメントマネージャ７１０３、７１０４が理解できるデータ形式との相互の変換処理を、ジョブマネージャ７１０１で行う。例えば、各ドキュメントマネージャ７１０３、７１０４からステータスデータの設定を行う場合には、ジョブマネージャ７１０１は、デバイス固有のデータを解釈し、この固有のデータをコントロールＡＰＩで定義される対応するデータに変換し、この変換したデータをＤＩＳ７１０２のデータベースに書き込む動作を行う。
【００８３】
ジョブマネージャ７１０１からＤＩＳ７１０２のデータベースにデータの設定、取得を行う場合には、ジョブマネージャ７１０１とＤＩＳ７１０２との間でデータの変換は生じない。また、ＤＩＳ７１０２には、ドキュメントマネージャ７１０１から通知される各種イベント情報に基づき、イベントデータの更新が行われる。
【００８４】
図１５に、上記のＤＩＳ７１０２の内部に保持される各種データベース（以下、ＤＢと称する）を示し、以下にそれぞれのＤＢについて説明する。図１５の図中の丸角長方形は個々のＤＢを表している。同図において、まず、７２０１はスーパバイザ（Supervisor）ＤＢであって、機器全体についてのステータスやユーザ情報を保持する。一方、ユーザＩＤやパスワード等の、バックアップが必要な情報はＨＤ（ハードディスク）装置、あるいはバックアップメモリなどの不揮発性の記憶装置に保持される。
【００８５】
７２０２はスキャンコンポーネントＤＢ、７２０３はプリントコンポーネントＤＢであり、これらコンポーネントＤＢは存在するコンポーネント毎に対応して保持される。例えば、プリンタのみからなる機器の場合はプリントコンポーネントＤＢのみが存在し、また例えば、ＦＡＸを備えた機器の場合はＦＡＸコンポーネントＤＢが保持される。各コンポーネントＤＢには初期化時に、それぞれ対応するドキュメントマネージャがコンポーネントの機能やステータスを設定する。
【００８６】
７２０４はスキャンジョブサービスＤＢ、７２０５はプリントジョブサービスＤＢであり、これらのジョブサービスＤＢもコンポーネントＤＢ同様に、初期化時にそれぞれ対応するドキュメントマネージャが機器で使用できる機能や、それらのサポート状況を設定する。
【００８７】
次に、ジョブＤＢ、ドキュメントＤＢについて説明する。７２０６はスキャンジョブＤＢ、７２０７はプリントジョブＤＢの各ジョブＤＢ、７２０８はスキャンドキュメントＤＢ、７２０９はプリントドキュメントＤＢである。
【００８８】
ジョブＤＢ７２０６、７２０７、およびドキュメントＤＢ７２０８、７２０９は、ジョブとそれに付随するドキュメントが生成される度に、ジョブマネージャ７１０１により動的に確保され、初期化が行われ、必要な項目の設定が行われる。各ドキュメントマネージャ７１０３、７１０４は、ジョブの処理開始前にジョブＤＢ７２０６、７２０７およびドキュメントＤＢ７２０８、７２０９から処理に必要な項目を読み出し、ジョブを開始する。その後、ジョブが終了すると、これらのジョブ、及びそれに付随していたドキュメントのＤＢは解放される。ジョブは１つ以上のドキュメントを持つので、あるジョブに対して複数のドキュメントＤＢが確保される場合がある。
【００８９】
７２１１は各ドキュメントマネージャ７１０３、７１０４から通知されるイベント情報を保持するデータベース（イベントテーブル）であり、７２１０は装置のスキャン回数、プリント回数を記録するためのカウンタテーブル（ソフトカウンタ）である。ドキュメントマネージャ７１０３、７１０４から通知されるイベントには、スキャンドキュメントマネージャ７１０３からのコンポーネントの状態遷移、スキャン処理動作完了や各種のエラー、またプリントドキュメントマネージャ７１０４からのコンポーネントの状態遷移、プリント処理動作完了、紙詰まり、給紙カセットオープンなどがあり、それぞれのイベントを識別するためのイベントＩＤが予め定められている。
【００９０】
ドキュメントマネージャ７１０３、７１０４からイベントが発行された場合、ＤＩＳ７１０２はイベントデータベース７２１１に発行されたイベントＩＤと、必要ならそのイベントに付随する詳細データとを登録する。また、ＤＩＳ７１０２は、ドキュメントマネージャ７１０３、７１０４からイベントの解除が通知された場合には、解除指定されたイベントデータをイベントデータベース７２１１から削除する。
【００９１】
ジョブマネージャ７１０１によりイベントのポーリングが行われた場合には、ＤＩＳ７１０２は、イベントデータベース７２１１を参照して、現在発生しているイベントＩＤと、必要ならばイベントに付随する詳細データとをジョブマネージャ７１０１へ返信し、現在イベントが発生していなければその旨をジョブマネージャ７１０１へ返信する。
【００９２】
また、スキャン処理動作完了、あるいはプリント処理動作完了のイベントが通知された場合には、ＤＩＳ７１０２は、ソフトカウンタ７２１０内のスキャン、プリントを行ったユーザのカウンタ値を更新する。このソフトウエアによるカウンタ７２１０は不慮の電源遮断などでその値が失われないように、バックアップされたメモリ装置やＨＤ装置の不揮発性記憶装置にその値が更新されるたびに書き戻す。
【００９３】
（スキャン動作）
次に、本発明の一実施形態における複合機のスキャン動作の詳細について説明する。図１６はこのスキャン動作に関連する制御系の構成部分を示す。ＰＣＩバス８１０５に対して、ＣＰＵ８１０１、メモリ８１０２、画像の圧縮・伸長ボード（ＣＯＤＥＣ）８１０４、スキャナ８１０７、及びこのシステムを接続するためのＩ／Ｆを提供するＳＣＳＩ・Ｉ／Ｆ回路（ＳＣＳＩコントローラ）８１０３が接続されている。ＳＣＳＩ・Ｉ／Ｆ回路８１０３とスキャナ（または複合機能を有する複写機のスキャナ機能ユニット）８１０７は、ＳＣＳＩインターフェースケーブル８１０６で接続されている。
【００９４】
また、ＰＣＩバス８１０５には、ＩＤＥ（Integrated Device Electronics  ：接続インタフェース）コントローラ８１０８が接続されており、ＩＤＥケーブル８１０９を介してＩＤＥハードディスク８１１０に接続されている。
【００９５】
図１７は本発明の一実施形態における複合機のスキャン動作に関するソフトウェア構造を示す。ジョブマネージャ８２０１はアプリケーションレベルの要求を分類、保存する機能を持つ。ＤＩＳ８２０２はアプリケーションレベルからのスキャン動作に必要なパラメータを保存する。アプリケーションからの要求はメモリ８１０２に保存される。スキャン動作管理部８２０３はジョブマネージャ８２０１とＤＩＳ８２０２とからスキャンを行うのに必要な情報を取得する。スキャン動作管理部８２０３はジョブマネージャ８２０１から図１８に示すジョブ番号、ドキュメント番号のテーブルデータ８３０１を受け取り、ジョブ番号、ドキュメント番号のテーブルデータ８３０１を基に、ＤＩＳ８２０２からスキャンパラメータ８３０２を受け取る。これにより、アプリケーションから要求されているスキャン条件に応じたスキャンを行うことができる。
【００９６】
スキャン動作管理部８２０３はＤＩＳ８２０２から取得したスキャンパラメータ８３０２をドキュメント番号順にスキャンシーケンス制御部８２０４に渡す。スキャンパラメータ８３０２を受け取ったスキャンシーケンス制御部８２０４はスキャン画像属性８３０８の内容に従ってＳＣＳＩ制御部８２０７をコントロールする。これにより、図１６のＰＣＩ８１０５に接続されたＳＣＳＩコントローラ８１０３を動作させることにより、ＳＣＳＩケーブル８１０６を介してスキャナ８１０７に、ＳＣＳＩ制御コマンドを送ることによりスキャンが実行される。
【００９７】
スキャナ８１０７でスキャンした画像はＳＣＳＩケーブル８１０６を介してＳＣＳＩコントローラ８１０３にわたり、さらにＰＣＩ８１０５を介してメモリ８１０２に格納される。スキャンシーケンス制御部８２０４はスキャンが終了し、ＰＣＩ８１０５を介してメモリ８１０２に画像が格納された時点で、スキャンパラメータ８３０２のスキャン画像圧縮形式８３０９の内容にしたがって、メモリ８１０２に格納されているスキャン画像を圧縮するために、圧縮・伸長制御部８２０５に対して要求を出す。この要求を受け取った圧縮・伸長制御部８２０５はＰＣＩ８１０５に接続されているＣＯＤＥＣ８１０４を用いて、スキャンシーケンス制御部８２０４からのスキャン画像圧縮形式８３０９の指定で圧縮を行う。
【００９８】
圧縮・伸長制御部８２０５は圧縮された画像をＰＣＩ８１０５を介してメモリ８１０２に格納する。
【００９９】
スキャンシーケンス制御部８２０４は圧縮・伸長制御部８２０５がスキャン画像圧縮形式８３０９で指定された形式にスキャン画像を圧縮し、メモリ８１０２に格納した時点で、スキャンパラメータ８３０２の画像ファイルタイプ８３０７に従ってメモリ８１０２に格納されている圧縮されたスキャン画像をファイル化する。
【０１００】
スキャンシーケンス制御部８２０４はファイルシステム８２０６に対して、スキャンパラメータ８３０２の画像ファイルタイプ８３０７で指定されたファイル形式でファイル化することを要求する。ファイルシステム８２０６はスキャンシーケンス制御部８２０４からの画像ファイルタイプ８３０７に従って、メモリ８１０２に格納されている圧縮された画像をファイル化し、これをＰＣＩ８１０５を介してＩＤＥコントローラ８１０８に転送し、ＩＤＥケーブル８１０９を介してＩＤＥハードディスク８１１０に転送することにより、スキャンされた圧縮画像をファイル化する。
【０１０１】
スキャンシーケンス制御部８２０４はファイルシステム８２０６がＩＤＥハードディスク８１１０にファイル化された画像を格納した時点で、スキャナ８１０７上の一枚の現行の処理が終了したとして、スキャン動作管理部８２０３にスキャン終了通知を送り返す。
【０１０２】
この時点で、スキャナ８１０７上にまだスキャンが行われていない原稿が存在し、ジョブマネージャ８２０１からスキャン要求が存在する場合には、スキャン動作管理部８２０３は、再度、ＤＩＳ８２０２に格納されているスキャンパラメータ８３０２を用いてスキャンシーケンス制御部８２０４にスキャン動作を要求する。
【０１０３】
スキャナ８１０７上にスキャンされていない原稿が存在しない場合、またはジョブマネージャ８２０１からのスキャン要求が存在しない場合には、スキャン動作管理部８２０３は、スキャン動作が終了したものとしてジョブマネージャ８２０１に対してスキャン終了通知を発行する。
【０１０４】
（プリント動作）
次に、本発明の一実施形態における複合機のプリント動作について詳細に説明する。図１９はこのプリント動作に関連する制御系の構成部分を示す。ＰＣＩバス９００５に対して、ＣＰＵ９００１、メモリ９００２、画像の圧縮・伸張ボード９００４、プリンタ９００７、及びこのシステムを接続するためのＩ／Ｆを提供するエンジンＩ／Ｆボード９００３が接続されている。エンジンＩ／Ｆボード９００３とプリンタ（または複合機能を有する複写機のプリンタ機能ユニット）９００７はエンジンインターフェースケーブル９００６で接続されている。
【０１０５】
エンジンＩ／Ｆボード９００３は内部にＤＰＲＡＭ（Dual Port RAM）を持ち、このＤＰＲＡＭを介してプリンタ９００７へのパラメータ設定、及びプリンタ９００７の状態読み出しと、プリントの制御コマンドのやりとりを行う。またこのボード９００３はビデオコントローラを有し、プリンタ９００７からエンジンインターフェースケーブル９００６経由で与えられるＶＣＬＫ（ビデオクロック：垂直同期信号）とＨＳＹＮＣ（水平同期信号）に合わせて、ＰＣＩ上に展開されているイメージデータをエンジンインターフェースケーブル９００６を介してプリンタ９００７に送信する。この送信のタイミングを図で表すと図２０の様になる。
【０１０６】
図２０に示すように、上記のＶＣＬＫ信号は常に出続け、上記のＨＳＹＮＣ信号がプリンタ９００７の１ラインの開始に同期して与えられる。エンジンＩ／Ｆボード９００３のビデオコントローラは、設定された画像幅（ＷＩＤＴＨ）分のデータを、設定されたＰＣＩ上のメモリ（ＳＯＵＲＣＥ）９００２から読み出して、ビデオ信号としてエンジンインターフェースケーブル９００６に出力する。これを指定ライン分（ＬＩＮＥＳ）繰り返した後、ビデオコントローラは、ＩＭＡＧＥ＿ＥＮＤ割り込み信号を発生する。
【０１０７】
先に説明したとおり、ＣＰＵ９００１上のアプリケーションプログラムから図２のコントロールＡＰＩ１５１８にプリントジョブの指示が渡されると、コントロールＡＰＩ１５１８はこれをコントローラレベルのジョブマネージャ１５１９（図１４の７１０１）にジョブとして渡す。さらにこのジョブマネージャ１５１９はジョブの設定をＤＩＳ（図１４の７１０２）に格納し、プリントマネージャ１５２６（図１４の７１０４）にジョブの開始を指示する。プリントマネージャ１５２６（図１４の７１０４）はジョブを受け付けるとＤＩＳ（図１４の７１０２）からジョブ実行に必要な情報を読み出し、これを図１９のエンジンＩ／Ｆボード９００３及びＤＰＲＡＭ（図示しない）を介してプリンタ９００７に設定する。
【０１０８】
エンジンＩ／Ｆボード９００３の設定項目を図２１に示し、プリンタのＤＰＲＡＭを介した設定項目及び制御コマンド、状態コマンドを図２２に示す。
【０１０９】
説明を簡潔にするため、プリント対象のジョブを、非圧縮、レター（１１”×８．５”）サイズの２値画像で、２ページ、１部プリントとし、かつ実行するプリンタが６００ｄｐｉ（ドット／インチ）の性能を持つものと仮定して、以下に具体的にそのプリント動作を説明する。
【０１１０】
まず、このジョブを受けると、プリントマネージャ１５２６（図１４の７１０４）はこの画像の幅（この場合８．５”の側とする）の画像バイト数を算出する。
ＷＩＤＴＨ  ＝  ８．５  ×  ６００  ÷  ８  ≒  ６３０（Bytes）
次にライン数を演算する。
ＬＩＮＥＳ  ＝  １１  ×  ６００  ＝  ６６００（行）
これらの算出した値と、与えられた１ページ目の画像が格納されているＳＯＵＲＣＥアドレスとを、図２１に示すＷＩＤＴＨ，ＬＩＮＥＳ，ＳＯＵＲＣＥのメモリ領域にそれぞれ設定する。この時点で、エンジンＩ／Ｆボード９００３は画像出力の用意が完了しているが、プリンタ９００７からまだＨＳＹＮＣ信号が来ていないため（ＶＣＬＫは来ている）、画像データを出力していない。
【０１１１】
次に、プリントマネージャ１５２６（図１４の７１０４）は図２２に示すＤＰＲＡＭの所定のアドレス（Ｂｏｏｋ  Ｎｏ．）に出力部数である１を書き込む。その後、プリントマネージャは、１ページ目に対する出力用紙の給紙要求の信号（ＦＥＥＤ＿ＲＥＱ）を出力し、プリンタ９００７から画像要求信号であるＩＭＡＧＥ＿ＲＥＱの入力を待つ。プリンタ９００７からＩＭＡＧＥ＿ＲＥＱの信号が来たら、プリントマネージャは、画像開始信号であるＩＭＡＧＥ＿ＳＴＡＲＴの信号を出す。
【０１１２】
このＩＭＡＧＥ＿ＳＴＡＲＴの信号を受けて、プリンタ９００７はＨＳＹＮＣ信号を出し始め、ＨＳＹＮＣ信号待ちであったエンジンＩ／Ｆボード９００３は画像を出力する。プリンタ９００７は出力用紙の後端を検出すると、画像終了信号であるＩＭＡＧＥ＿ＥＮＤの信号を出力し、出力用紙が排出されると排出完了信号であるＳＨＥＥＴ＿ＯＵＴの信号を出力する。
【０１１３】
プリントマネージャ１５２６（図１４の７１０４）は１ページ目のＩＭＡＧＥ＿ＥＮＤ信号を受けて、２ページ目のＷＩＤＴＨ，ＬＩＮＥＳ，ＳＯＵＲＣＥのデータをエンジンＩ／Ｆボード９００３に設定し、ＦＥＥＤ＿ＲＥＱ信号を出して、ＩＭＡＧＥ＿ＲＥＱ信号を待つ。２ページ目のＩＭＡＧＥ＿ＲＥＱ信号が来てからの動作は、１ページ目と同様である。
【０１１４】
［ＰＤＬの展開処理］
本実施形態のマルチファンクションシステムでは、図３において、ネットワークＩ／Ｆ部２０１０から入力されたＰＤＬデータは、画像バス２００８を経由して、ＨＤＩ／Ｆ部２００５を介してＨＤＤ２００４に格納される。ここで、ＨＤＩ／Ｆ部２００５では、ＨＤＤ２００４に格納されるＰＤＬのデータ量をカウントし、そのサイズ（カウント値）によりＰＤＬデータの種別を振り分ける。一般的にＰＤＬデータ量は、図２３に示すようなテキストの場合は少なく、図２４に示すような図形データの場合は大きくなる。
【０１１５】
また、ＰＤＬデータは、ＣＰＵ２００１で、ソフトウエアによりインタープリタ処理によるディスプレーリスト作成及びレンダリング処理を行い、ビットマップデータを生成する。これらのＰＤＬ展開処理に掛かる時間は、図２３に示すようなテキストを出力する場合は、プリンタ２０９５で出力されるエンジン処理間隔よりも短いことが多い。図２５の（ａ）のタイミングチャートはこの時のＰＤＬ展開処理とＶＳＹＮＣ（プリント垂直同期信号）の関係を示している。この場合、ＰＤＬ展開処理は短く、ＶＳＹＮＣよりも先行して処理が行なわれ、ＰＤＬ展開処理されたページはＲＡＭ２００２に格納されていく。そのため、プリンタ２０９５はＶＳＹＮＣに同期して画像を出力するタイミングで、常にプリントすべきビットマップデータがＲＡＭ２００２に存在することになり、このためエンジンのプリント間隔に影響を及ぼすことなく、プリント出力を実現することが出来る。
【０１１６】
一方、図２４に示すような図形データを出力する場合には、ＰＤＬ展開処理に掛かる時間が、プリンタ２０９５で出力されるエンジン処理間隔よりも長いことが多い。図２５の（ｂ）のタイミングチャートはこの時のＰＤＬ展開処理とＶＳＹＮＣ（プリント垂直同期信号）の関係を示している。この場合、ＰＤＬ展開処理は長く、ＶＳＹＮＣのタイミングに処理が間に合わない。そのため、プリンタ２０９５は、ＶＳＹＮＣに同期して画像を出力するタイミングで、プリントすべきビットマップデータがＲＡＭ２００２に存在しないため、エンジンのプリント間隔に影響を及ぼし、プリント出力の間隔が長くなってしまう。この状態を図中の矢印で示している。
【０１１７】
［ＣＰＵコアの周波数］
図２６は図３のＣＰＵ２００１の本発明に係わる部分の構成を示す。ＣＰＵ２００１は図２６に示すように、ＣＰＵコア３００１、メモリコントローラ部３００４、バスブリッジ３００７を含んでいる。ＣＰＵコア３００１は、システムクロックを逓倍して高速なＣＰＵコア動作クロックを作り出すためのＰＬＬ（位相ロック・ループ）部３００３と、キャッシュ３００２（命令キャッシュ、データキャッシュ）を含んでいる。また、ＣＰＵコア３００１とバスブリッジ３００７はフロントサイドバス３００５で結ばれ、メモリコントローラ部３００４とバスブリッジ３００７はメモリバス３００６で結ばれている。メモリコントローラ部３００４はＲＡＭ２００２への読み書きの制御を行う。また、バスブリッジ３００７はシステムバス２００７や画像バス２００８を介して他のデバイスとの接続を可能にしている。
【０１１８】
前述のＰＤＬ処理時間はＣＰＵコア３００１を駆動するクロックの周波数が大きくなれば短縮することができる。図２７はＣＰＵコア３００１の周波数とＰＤＬの処理時間の関係を示したものである。ＰＬＬ部３００３の逓倍率を１から２、３に上げることにより、ＣＰＵコア３００１のクロックの周波数はシステムクロックに対して２倍、３倍となり、その周波数が増大する。ＣＰＵコア３００１の周波数が増大するに連れて、ＰＤＬ展開に必要な演算命令を行なう周期が１／２、１／３と短縮されるため、トータルのＰＤＬ展開時間が短くなる。
【０１１９】
従って、上記の図２５の（ｂ）の様な制御になっている場合に、ＣＰＵコア３００１のクロックの周波数を増大させることで、ＣＰＵ処理能力の向上が得られその結果、図２５の（ａ）の様な制御に近づけることが可能となる。
【０１２０】
しかし、その反面、ＣＰＵコア３００１の周波数を増大させることによって、ＣＰＵ２００１の消費電力が増大する。図２８はＣＰＵコア３００１の周波数とＣＰＵ２００１の関係を示したものである。ＰＬＬ部３００３の逓倍率を１から２、３に上げることにより、ＣＰＵ２００１の消費電力はそれに連れて増大していく。
【０１２１】
［消費電力と同時動作の制御］
上記の様にＰＤＬの処理時間の短縮とＣＰＵ２００１の消費電力の節減はトレードオフの関係にある。本実施形態では、このトレードオフに対処するために、図２９に示す様なフローで制御を行っている。
【０１２２】
図２９の例は、規格等によってトータルの消費電力が制限されていることを前提に、ＰＤＬデータの種別に対応するデータ量に応じて、ＣＰＵコア３００１の周波数の調整をするとともに、ＰＤＬプリントと同時に動作可能な他の動作モードを実施させるか否かの制御を行なうものである。
【０１２３】
前述の様に、ＨＤＩ／Ｆ部２００５にはＨＤＤ２００４に格納されるＰＤＬデータ量をカウントする機構が存在する(ステップＳ１)。
まず、上記カウント機構によりカウントされたＰＤＬデータのカウント値（以下、ＰＤＬカウント値と称する）と、あらかじめ定義された第１の閾値（小）とを比較して（ステップＳ２）、ＰＤＬカウント値がその第１の閾値よりも小さいと判断した場合には、図２３に示す様な軽いＰＤＬデータと見なし、ＰＬＬ部３００３の逓倍率を１に設定する（ステップＳ３）。この場合は、ＣＰＵ２００１の消費電力が小さいため（図２８参照）、その他の動作モードの制御は通常通りであって、ＰＤＬ展開中もスキャン等の他のジョブを受け付け同時動作が可能とする。
【０１２４】
次に、ＰＤＬカウント値が第１の閾値よりも大きいと判断した場合には、ＰＤＬカウント値とあらかじめ定義された第２の閾値（大）とを比較して（ステップＳ４）、ＰＤＬカウント値が第２の閾値よりも大きいと判断した場合には、図２４に示す様な重いＰＤＬデータと見なして、ＰＬＬ部３００３の逓倍率を３に設定する（ステップＳ５）。
【０１２５】
この場合は、ＣＰＵ２００１の消費電力が大きいため（図２８参照）、全体の消費電力の制限からＵＩ（操作部）の表示をＯＦＦし、操作を不許可にすることで他のジョブとの同時動作を行なわない様に制御する（ステップＳ６）。さらに、ＰＤＬ動作に無関係なスキャナ画像処置部２０９０は電源をＯＦＦし、ＣＬＫ（クロック）の供給も止めて省電力化を図り、消費電力をＣＰＵ２００１につぎ込む制御を行なう（ステップＳ７）。
【０１２６】
一方、上記のステップＳ４において，ＰＤＬカウント値が第２の閾値よりも小さいと判断された場合は、図２３に示す様な軽いＰＤＬデータと、図２４に示す様な重いＰＤＬデータの中間レベルの重さのデータと見なして、ＰＬＬ部３００３の逓倍率を２に設定する（ステップＳ８）。この場合は、ＣＰＵ２００１の消費電力が中レベルであるため（図２８参照）、全体の消費電力の制限からＵＩ（操作部）上でスキャン系の動作を行なうための操作を不許可にし、スキャン系のジョブとの同時動作のみを禁止する様に制御する（ステップＳ９）。スキャナ画像処置部２０９０は電源をＯＦＦし、ＣＬＫの供給も止めて省電力化を図り、消費電力をＣＰＵ２００１につぎ込む制御を行なう（ステップＳ１０）。
【０１２７】
（他の実施の形態）
以上、本発明の実施形態を詳述したが、図２９の本発明の実施形態では、スプールされたＰＤＬデータのサイズ（データ量）からＰＤＬ展開処理負荷を予測しているが、スプールされたＰＤＬデータのアプリケーション（データの種類）の識別結果からＰＤＬ展開処理負荷を予測してもよく、同様な効果が期待できる。
【０１２８】
なお、本発明は、複数の機器から構成されるシステムに適用しても良いし、１つの機器からなる装置に適用してもよい。
【０１２９】
また、本発明は、前述した実施形態の機能を実現するソフトウエアのプログラム（本実施形態では、図２９に示すフローチャートに対応したプログラム）を、システム或いは装置に直接或いは遠隔から供給し、そのシステム或いは装置のコンピュータがその供給されたプログラムを読み出して実行することによっても達成される場合を含む。その場合、プログラムの機能を有していれば、形態は、プログラムである必要はない。
【０１３０】
従って、本発明の機能処理をコンピュータで実現するために、そのコンピュータにインストールされるプログラムコード自体も本発明を実現するものである。つまり、本発明のクレームでは、本発明の機能処理を実現するためのコンピュータプログラム自体も含まれる。
【０１３１】
その場合、プログラムの機能を有していれば、オブジェクトコード、インタプリタにより実行されるプログラム、ＯＳ（オペレーティングシステム）に供給するスクリップトデータ等、プログラムの形態を問わない。
【０１３２】
プログラムを供給するための記録媒体としては、例えばフロッピー（登録商標）ディスク、ハードディスク、光ディスク、光磁気ディスク、ＭＯ、ＣＤ−ＲＯＭ、ＣＤ−Ｒ、ＣＤ−ＲＷ、磁気テープ、不揮発性のメモリカード（ＩＣメモリカード）、ＲＯＭ、ＤＶＤ（ＤＶＤ−ＲＯＭ、ＤＶＤ−Ｒ）などがある。
【０１３３】
その他、プログラムの供給方法としては、クライアントコンピュータのプラウザを用いてインターネットのホームページに接続し、このホームページから本発明のコンピュータプログラムそのもの、もしくは圧縮され自動インストール機能を含むファイルをハードディスク等の記録媒体にダウンロードすることによっても供給できる。また、本発明のプログラムを構成するプログラムコードを複数のファイルに分割し、それぞれのファイルを異なるホームページからダウンロードすることによっても実現可能である。つまり、本発明の機能処理をコンピュータで実現するためのプログラムファイルをユーザに対してダウンロードさせるＷＷＷサーバも、本発明のクレームに含まれるものである。
【０１３４】
また、本発明のプログラムを暗号化してＣＤ−ＲＯＭ等の記録媒体に格納してユーザに配布し、所定の条件をクリアしたユーザに対し、インターネットを介してホームページから暗号化を解く鍵情報をダウンロードさせ、その鍵情報を使用することにより暗号化されたプログラムを実行してコンピュータにインストールさせて本発明を実現することも可能である。
【０１３５】
また、コンピュータが、読み出したプログラムを実行することによって、前述した本発明の実施形態の機能が実現される他、そのプログラムの指示に基づき、コンピュータ上で稼動しているＯＳなどが、実際の処理の一部または全部を行い、その処理によっても前述した本発明の実施形態の機能が実現され得る。
【０１３６】
さらに、記録媒体から読み出されたプログラムが、コンピュータに挿入された機能拡張ボードやコンピュータに接続された機能拡張ユニットに備わるメモリに書き込まれた後、そのプログラムの指示に基づき、その機能拡張ボードや機能拡張ユニットに備わるＣＰＵなどが実際の処理の一部または全部を行い、その処理によっても前述した本発明の実施形態の機能が実現される。
【０１３７】
【発明の効果】
以上説明したように、本発明によれば、ＰＤＬデータに応じた適切な周波数で、ＰＤＬデータの展開処理を実行するＣＰＵを動作させるとともに、展開処理と他の動作を同時に行うか否かを適切に制御するプリント装置及びプリント方法を提供することができる。
【図面の簡単な説明】
【図１】本発明を適用したマルチファンクションシステム（複合機）を含むネットワークシステムの全体構成を示す回線図である。
【図２】本発明を適用したマルチファンクションシステム（複合機）のソフトウェアの全体構成を示すブロック図である。
【図３】本発明を適用したマルチファンクションシステム（複合機）の全体構成を示すブロック図である。
【図４】本発明を適用したマルチファンクションシステム（複合機）のスキャナ部、プリンタ部、及び操作部の外観を示す正面図である。
【図５】本発明を適用したマルチファンクションシステム（複合機）の操作部の配置構成を示す平面図である。
【図６】図３のスキャナ画像処理部の構成を示すブロック図である。
【図７】図３のプリンタ画像処理部の構成を示すブロック図である。
【図８】図３の画像圧縮処理部の構成を示すブロック図である。
【図９】図３の画像回転処理部の構成を示すブロック図である。
【図１０】図９の画像バスＩ／Ｆコントローラの画像データの転送の方法を説明する概念図である。
【図１１】図９の画像回転部の画像回転処理の方法を説明する概念図である。
【図１２】図３のデバイスＩ／Ｆ部の構成を示すブロック図である。
【図１３】本発明を適用したマルチファンクションシステム（複合機）の組み込みアプリケーションを説明するブロック図である。
【図１４】本発明を適用したマルチファンクションシステム（複合機）のＤＩＳ（Device Information Service）、ジョブマネージャ、プリントマネージャ、スキャンマネージャ間の情報のやり取りを示すブロック図である。
【図１５】図１４のＤＩＳの内部のデータベース、及びカウンタを示す模式図である。
【図１６】本発明を適用したマルチファンクションシステム（複合機）のスキャンに関するハードウェア制御系の構成を示すブロック図である。
【図１７】本発明を適用したマルチファンクションシステム（複合機）のスキャンにおけるソフトウェア制御の情報の流れを示す流れ図である。
【図１８】図１７のスキャン動作管理部のパラメータテーブルの概略を示す概念図である。
【図１９】本発明を適用したマルチファンクションシステム（複合機）のプリントに関するハードウェア制御系の構成を示すブロック図である。
【図２０】図１９のプリントに関するハードウェア制御系で行われるプリントイメージデータの転送タイミングを示すタイミングチャートである。
【図２１】図１９のエンジンＩ／Ｆボード内のプリントパラメータレジスタのテーブルを示すアドレスマップ図である。
【図２２】図１９のプリンタとエンジンＩ／Ｆボードとの通信コマンドのテーブルを示すアドレスマップ図である。
【図２３】ＰＤＬデータ量が少ないデータの例を示した図である。
【図２４】ＰＤＬデータ量が大きいデータの例を示した図である。
【図２５】本発明の一実施形態におけるＰＤＬ処理とプリントのタイミングを示すタイミングチャートである。
【図２６】図３のＣＰＵの構成を示すブロック図である。
【図２７】図２６のＣＰＵコアのクロック周波数とＰＤＬ展開時間の関係を示すグラフである。
【図２８】図２６のＣＰＵコアのクロック周波数と消費電力の関係を示すグラフである。
【図２９】図２６のＣＰＵコアのクロック周波数逓倍と同時動作の可、不可を判断するための処理手順の流れを示すフローチャートである。
【符号の説明】
１００１、１０２０  複合機
１００２、１０２１  データベースサーバ
１００３  データベースクライアント
１００４  電子メールサーバ
１００５  電子メールのクライアント
１００６、１０２３  ＨＴＭＬ文書をＬＡＮに提供するＷＷＷサーバ
１００７  インターネット／イントラネット連結用サーバ
１０１０  ローカルエリアネットワーク（ＬＡＮ）
１０１１  ルータ
１０１２  インターネット／イントラネット
１０３０  PSTN(公衆電話網)またはISDN（統合サービスデジタル網）
１５０１  ＵＩ（ユーザインターフェイス）を司るモジュール
１５０２  データベースモジュール
１５０３  ウェッブサーバモジュール
１５０４  ユニバーサル・センドを司るモジュール
１５０５  出力先にプリンタが指定された際に実行されるモジュール
１５０６  通信先にＥメールアドレスが指定された際に実行されるモジュール
１５０７  出力先にデータベースが指定された際に実行されるモジュール
１５０８  本複合機と同様の複合機が指定された際に実行されるモジュール
１５０９  リモートコピースキャンモジュール
１５１０  リモートコピープリントモジュール
１５１１  ウェッブプルプリントモジュール
１５１２  ＨＴＴＰ通信用モジュール
１５１３  ｌｐｒモジュール
１５１４  ＳＭＴＰモジュール
１５１５  ＳＬＭモジュール
１５１６  ＴＣＰ／ＩＰモジュール
１５１８  コントロール−ＡＰＩモジュール
１５１９  ジョブマネージャ
１５２０  ＣＯＤＥＣマネージャ
１５２１  ＦＢＥエンコーダ
１５２２  ＪＰＥＧ−ＣＯＤＥＣ
１５２３  ＭＭＲ−ＣＯＤＥＣ
１５２４  スキャンマネージャ
１５２５  ＳＣＳＩマネージャ
１５２６  プリントマネージャ
１５２７  エンジンＩ／Ｆ  マネージャ
１５２８  パラレルポートドライバ
２０００  制御装置
２００１  ＣＰＵ（中央演算処理装置）
２００２  ＲＡＭ（ランダムアクセスメモリ）
２００３  ＲＯＭ（リードオンリメモリ）
２００４  ＨＤＤ（ハードディスクドライブ）
２００６  操作部Ｉ／Ｆ（インターフェース）
２００７  システムバス
２００８  画像バス
２０１０  ネットワークＩ／Ｆ
２０１１  ＬＡＮ（ラン：ローカルエリアネットワーク）
２０１２  操作部（ＵＩ：ユーザインターフェース）
２０１４  スタートキー
２０１５  ストップキー
２０１６  ＩＤ（識別子、識別番号）キー
２０１７  リセットキー
２０１８  ２色ＬＥＤ（発光ダイオード）
２０２０  デバイスＩ／Ｆ部
２０２１  画像バスＩ／Ｆコントローラ
２０２３  シリアルパラレル・パラレルシリアル変換部
２０２２  スキャンバッファ
２０２４  パラレルシリアル・シリアルパラレル変換部
２０３０  画像回転処理部
２０３１  画像バスＩ／Ｆコントローラ
２０３２  画像回転部
２０３３  ＲＡＭ
２０４０  画像圧縮処理部
２０４１  画像バスＩ／Ｆコントローラ
２０４２  入力バッファ
２０４３  画像圧縮部
２０４４  ＲＡＭ
２０４５  出力バッファ
２０５０  モデム
２０５１  公衆回線（ＷＡＮ：広域ネットワーク）
２０６０  ラスターイメージプロセッサ（ＲＩＰ）
２０６２  画像切換え部
２０７２  原稿フィーダ
２０７０  スキャナ
２０７３  トレイ
２０８０  スキャナ画像処理部
２０８２  フィルタ処理部
２０８３  編集部
２０８４  変倍処理部
２０８５  テーブル
２０８６  ２値化部
２０９０  プリンタ画像処理部
２０９２  解像度変換部
２０９３  スムージング処理部
２０９５  プリンタ
２１０１、２１０２、２１０３、２１０４  用紙カセット
２１１１  排紙トレイ
３００１  ＣＰＵコア
３００２  キャッシュ（命令キャッシュ、データキャッシュ）
３００３  ＰＬＬ（位相ロック・ループ）部
３００４  メモリコントローラ部
３００５  フロントサイドバス
３００６  メモリバス
３００７  バスブリッジ
４０５０  操作部アプリケーション
４０５１  アドレスブック
４１００  リモートコピーアプリケーションの送信側
４１０３  ＳＬＭ
４１５０  同報配信の送信側
４１５３  ＳＭＴＰ
４２００  ウェッブプルプリントモジュール
４２５０  ウェッブサーバモジュール
４３００  リモートコピーの受信側（プリント側）
４３５０  同報配信のイメージを受信・プリントするメールサーバ
４４００  リモートプリントの受信側（プリント側）
４４５０  同報配信のイメージを受信・格納するメールサーバ
４５００  同報配信での２値のイメージを受信・格納するメールサーバ
４５５０  同報配信のイメージを受信・格納するメールサーバ
４６００  同報配信での多値のイメージを受信・格納するメールサーバ
４６５０  情報コンテンツを含んだ、公知のウェッブサーバ
４７００  ウェッブサーバなどにアクセスする、ウェッブブラウザ
７１０２  デバイスインフォメーションサービス（ＤＩＳ）
７１０１  ジョブマネージャ
７１０３  スキャンドキュメントマネージャ
７１０２  デバイスインフォメーションサービス（ＤＩＳ）
７１０４  プリントキュメントマネージャ
７２０１  スーパバイザＤＢ
７２０２  スキャンコンポーネントＤＢ
７２０３  プリントコンポーネントＤＢ
７２０４  スキャンジョブサービスＤＢ
７２０５  プリントジョブサービスＤＢ
７２０６  スキャンジョブＤＢ
７２０７  プリントジョブＤＢの各ジョブＤＢ
７２０８  スキャンドキュメントＤＢ
７２０９  プリントドキュメントＤＢ
７２１０  ソフトカウンタ
７２１１  イベントテーブル
８１０１  ＣＰＵ
８１０２  メモリ
８１０３  ＳＣＳＩ・Ｉ／Ｆ回路（ＳＣＳＩコントローラ）
８１０４  画像の圧縮・伸長ボード（ＣＯＤＥＣ）
８１０５  ＰＣＩバス
８１０６  ＳＣＳＩインターフェースケーブル
８１０７  スキャナ（または複写機のスキャナ機能ユニット）
８１０８  ＩＤＥコントローラ
８１０９  ＩＤＥケーブル
８１１０  ＩＤＥハードディスク
８２０１  ジョブマネージャ
８２０２  ＤＩＳ
８２０３  スキャン動作管理部
８２０４  スキャンシーケンス制御部
８２０５  圧縮・伸長制御部
８２０６  ファイルシステム
８２０７  ＳＣＳＩ制御部
８３０１  ジョブ番号、ドキュメント番号のテーブルデータ
８３０２  スキャンパラメータ
８３０３  ジョブ番号
８３０４  ドキュメント番号
８３０５  ジョブ番号
８３０６  ドキュメント番号
８３０７  画像ファイルタイプ
８３０８  スキャン画像属性
８３０９  スキャン画像圧縮形式
９００１  ＣＰＵ
９００２  メモリ
９００３  エンジンＩ／Ｆボード
９００４  画像の圧縮・伸張ボード
９００５  ＰＣＩバス
９００６  エンジンインターフェースケーブル
９００７  プリンタ（または複写機のプリンタ機能ユニット）
【図１】
0004109903.tif 000002
【図２】
0004109903.tif 000003
【図３】
0004109903.tif 000004
【図４】
0004109903.tif 000005
【図５】
0004109903.tif 000006
【図６】
0004109903.tif 000007
【図７】
0004109903.tif 000008
【図８】
0004109903.tif 000009
【図９】
0004109903.tif 000010
【図１０】
0004109903.tif 000011
【図１１】
0004109903.tif 000012
【図１２】
0004109903.tif 000013
【図１３】
0004109903.tif 000014
【図１４】
0004109903.tif 000015
【図１５】
0004109903.tif 000016
【図１６】
0004109903.tif 000017
【図１７】
0004109903.tif 000018
【図１８】
0004109903.tif 000019
【図１９】
0004109903.tif 000020
【図２０】
0004109903.tif 000021
【図２１】
0004109903.tif 000022
【図２２】
0004109903.tif 000023
【図２３】
0004109903.tif 000024
【図２４】
0004109903.tif 000025
【図２５】
0004109903.tif 000026
【図２６】
0004109903.tif 000027
【図２７】
0004109903.tif 000028
【図２８】
0004109903.tif 000029
【図２９】
0004109903.tif 000030